(57)【要約】【課題】光源から放出する熱を、費用をかけずに効率的に放熱し易い発光装置等を提供すること。【解決手段】発光装置１は、第１基板１０と、第１基板１０の第１面に実装される光源１１と、第１基板１０の第２面に実装される複数の電子部品を含み、バッテリから光源１１に供給される電力を制御する電力制御回路１２を備える。第１基板１０には、Ｚ方向に延在すると共に光源１１の周囲部３３に密集した状態で配置される複数のビアホール１８が設けられる。発光装置１が、第１面の少なくとも一部を被覆するように配置され、光源１１と接触する接触均熱体、各ビアホール１８の内周面を被覆するように配置され、接触均熱体と接触するホール内均熱体、及び第２面の少なくとも一部を被覆するように配置され、ホール内均熱体と接触する付加均熱体を更に備える。【選択図】図２
2020047745.tif 000002
【特許請求の範囲】
【請求項１】
基板と、
前記基板の第１面に実装される光源と、
前記基板の第２面に実装される複数の電子部品を含み、電源から前記光源に供給される電力を制御する電力制御回路と、を備え、
前記基板には、前記基板の厚さ方向に延在すると共に前記光源の周囲部に密集した状態で配置される複数のビアホールが設けられ、
前記第１面の少なくとも一部を被覆するように配置され、前記光源と接触する接触均熱体と、
前記各ビアホールの内周面を被覆するように配置され、前記接触均熱体と接触するホール内均熱体と、
前記第２面の少なくとも一部を被覆するように配置され、前記ホール内均熱体と接触する付加均熱体と、
を更に備える、発光装置。
【請求項２】
前記厚さ方向に直交する直交方向であって、前記電力制御回路が前記直交方向の一方側端部に存在しないような前記直交方向が存在し、
前記複数のビアホールは、前記電力制御回路に対して前記直交方向に間隔をおいた状態で前記電力制御回路よりも前記直交方向の一方側に配置される、請求項１に記載の発光装置。
【請求項３】
前記基板は、長手方向と幅方向とを決定できる形状を有して、前記直交方向は、前記幅方向に一致し、
前記光源は、前記幅方向と前記厚さ方向を含むと共に前記基板の長手方向が二等分される平面に交差する位置に存在し、
前記電力制御回路は、前記平面に交差する位置に存在する電圧制御部を含む、請求項２に記載の発光装置。
【請求項４】
前記電力制御回路は、他の基板に配線を接続するのに用いられる配線接続部と、前記電源からの電力を受電する受電端子部を含み、
前記配線接続部は、前記平面における前記長手方向の一方側に位置し、前記受電端子部は、前記平面における前記長手方向の他方側に位置する、請求項３に記載の発光装置。
【請求項５】
前記受電端子部と前記平面との距離が、前記配線接続部と前記平面との距離よりも短い、請求項４に記載の発光装置。
【請求項６】
請求項１乃至５のいずれか１つに記載の発光装置を備える移動体。
【発明の詳細な説明】
【技術分野】
【０００１】
本開示は、発光装置と、それを備える移動体に関する。
【背景技術】
【０００２】
従来、発光装置としては、特許文献１に記載されているものがある。この発光装置では、複数の発光素子が基板の一方側面に実装され、基板には、厚さ方向から見たとき各発光素子に重なる位置に、発光素子毎に数個のスルーホールが設けられている。
【先行技術文献】
【特許文献】
【０００３】
【特許文献１】特開２００９−１３４９６５号公報
【発明の概要】
【発明が解決しようとする課題】
【０００４】
出力が大きな光源を有する発光装置では、光源が大熱量の熱を放出するが、その熱を費用をかけずに効率的に放熱できれば好ましい。
【０００５】
そこで、本開示の目的は、光源が発する熱を、費用をかけずに効率的に放熱し易い発光装置を提供することにある。
【課題を解決するための手段】
【０００６】
上記課題を解決するため、本開示の発光装置は、基板と、基板の第１面に実装される光源と、基板の第２面に実装される複数の電子部品を含み、電源から光源に供給される電力を制御する電力制御回路と、を備え、基板には、基板の厚さ方向に延在すると共に光源の周囲部に密集した状態で配置される複数のビアホールが設けられ、第１面の少なくとも一部を被覆するように配置され、光源と接触する接触均熱体と、各ビアホールの内周面を被覆するように配置され、接触均熱体と接触するホール内均熱体と、第２面の少なくとも一部を被覆するように配置され、ホール内均熱体と接触する付加均熱体と、を更に備える。
【０００７】
なお、本明細書では、上記光源の周囲部を、次のように定義する。詳しくは、光源を基板の厚さ方向から見たときの光源の平面視における平面図形において、その平面図形に含まれる最も長い直線を決定する。上記光源の周囲部は、その直線の中心を中心とし、その直線の長さの５倍の長さの直径を有する円に囲まれた領域に基板の厚さ方向に重なる領域として定義する。
【０００８】
具体例を用いて説明すると、例えば、図４に示すように、光源１１７の平面視における平面図形１１８が矩形である場合には、平面図形１１８に含まれる最も長い直線１１９が、対角線となる。そして、その直線１１９の中心１２０を中心とし、その直線１１９の長さの５倍の長さの直径を有する円が参照番号１２１で示す円となる。よって、光源１１７の周囲部は、円１２１に囲まれた領域に基板の厚さ方向であるＺ方向に重なる領域となる。
【０００９】
また、図５に示すように、光源２１７の平面視における平面図形２１８が楕円である場合には、平面図形２１８に含まれる最も長い直線２１９が、長軸となる。そして、その直線２１９の中心２２０を中心とし、その直線２１９の長さの５倍の長さの直径を有する円が参照番号２２１で示す円となる。よって、光源２１７の周囲部は、円２２１に囲まれた領域に基板の厚さ方向であるＺ方向に重なる領域となる。
【００１０】
また、複数のビアホールが密集した状態を、次のように定義する。詳しくは、複数のビアホールの内で開口面積が最も大きい最大ビアホールに関して、その最大ビアホールを基板の厚さ方向から見たときの最大ビアホールの平面視における平面図形において、その平面図形に含まれる最も長い直線を決定する。上記複数のビアホールが密集した状態は、全ての隣り合う２つのビアホールの組において、一方のビアホールの縁と他方のビアホールの縁との最短距離が、上記最大ビアホールの上記直線の３倍の長さよりも短くなっている状態として定義する。なお、ビアホールが円筒孔のとき、最も長い直線は、円形の開口の直径となる。また、複数のビアホールが、全て円筒孔であるとき、複数のビアホールは、直径が異なる２以上のビアホールを含んでもよく、この場合、最大ビアホールは、最も大きな直径を有するビアホールとなる。なお、ビアホールの開口の形状は、円に限らず如何なる形状でもよく、例えば、楕円、又は矩形等でもよい。
【発明の効果】
【００１１】
本開示によれば、光源が発する熱を、費用をかけずに効率的に放熱し易い発光装置を実現できる。
【図面の簡単な説明】
【００１２】
【図１】本開示の一実施形態に係る発光装置の第１基板における第２面側の平面図である。
【図２】上記第１基板の第１面側における光源周辺部分をＺ方向から見たときの部分拡大平面図であり、図１に領域Ｒで示す領域における部分拡大平面図である。
【図３】上記第１基板の厚さ方向を含むと共に一つのビアホールを通過する切断面における第１基板周辺の拡大模式断面図である。
【図４】光源の周囲部の定義について説明する平面図である。
【図５】光源の周囲部の定義について説明する平面図である。
【発明を実施するための形態】
【００１３】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。
【００１４】
また、以下では、基板が、長手方向と幅方向とを決定できる形状を有する場合を例に説明を行う。基板は、平面視が矩形の平面形状を有するもの、矩形の板形状の基板から角部を面取りしたもの、矩形基板の一部に局所的に凹部が設けられたもの等があるが、これらのいずれの基板でも、長手方向、幅方向を決定できる。Ｘ方向は、基板の長手方向を示す。また、Ｙ方向は、直交方向の一例であり、基板の幅方向を示す。また、Ｚ方向は、基板の厚さ方向を示す。Ｘ方向、Ｙ方向、及びＺ方向は、互いに直交する。なお、理解を容易にするため、図４、及び図５にも、Ｘ方向、Ｙ方向、及びＺ方向を記載している。
【００１５】
また、上述のように、実施例の説明において、上記光源の周囲部を、次のように定義する。詳しくは、光源を基板の厚さ方向から見たときの光源の平面視における平面図形において、その平面図形に含まれる最も長い直線を決定する。上記光源の周囲部は、その直線の中心を中心とし、その直線の長さの５倍の長さの直径を有する円に囲まれた領域に基板の厚さ方向に重なる領域として定義する。
【００１６】
また、実施例の説明において、複数のビアホールが密集した状態を、次のように定義する。詳しくは、複数のビアホールの内で開口面積が最も大きい最大ビアホールに関して、その最大ビアホールを基板の厚さ方向から見たときの最大ビアホールの平面視における平面図形において、その平面図形に含まれる最も長い直線を決定する。上記複数のビアホールが密集した状態は、全ての隣り合う２つのビアホールの組において、一方のビアホールの縁と他方のビアホールの縁との最短距離が、上記最大ビアホールの上記直線の３倍の長さよりも短くなっている状態として定義する。なお、ビアホールが円筒孔のとき、最も長い直線は、円形の開口の直径となる。また、複数のビアホールが、全て円筒孔であるとき、複数のビアホールは、直径が異なる２以上のビアホールを含んでもよく、この場合、最大ビアホールは、最も大きな直径を有するビアホールとなる。なお、ビアホールの開口の形状は、円に限らず如何なる形状でもよく、例えば、楕円、又は矩形等でもよい。
【００１７】
図１は、発光装置１の第１基板１０における第２面側の平面図である。なお、図１では、第２面の裏側の第１面に実装されて実際には視認できない光源１１を点線で示す。発光装置１は、移動体の一例としての図示しない二輪車（オートバイ）の前照灯（ヘッドライト）に搭載される。発光装置１には、電源の一例としてのバッテリ（図示せず）から電力が供給される。
【００１８】
発光装置１は、第１基板１０と、他の基板としての第２基板（図示せず）を備える。第１基板１０及び第２基板の夫々は、例えば、プリント基板で構成される。第１基板１０及び第２基板の夫々は、如何なる硬さを有してもよく、リジット基板、フレキシブル基板、及びリジットフレキシブル基板のうちのいずれの基板で構成されてもよい。また、第１基板１０及び第２基板の夫々は、如何なる組成を有してもよく、例えば、紙フェノール基板、紙エポキシ基板、ガラスコンポジット基板、ガラスエポキシ基板、テフロン（登録商標）基板、アルミナ（セラミックス）基板、又はコンポジット基板等で構成される。第１基板１０及び第２基板として、ガラスエポキシ基板を採用すると好ましい。
【００１９】
第１基板１０には、電力制御回路１２が、第２面側に設けられ、１つの光源１１が、第２面側とは反対側の第１面に実装される。電力制御回路１２は、バッテリから光源１１に供給される電力を制御する。電力制御回路１２は、第２面に実装される複数の電子部品１３を有する。また、複数の電子部品１３は、光源１１に供給される電力の電圧を制御する電圧制御部１４、上記第２基板に配線を接続するのに用いられる配線接続部１５、及びバッテリからの電力を受電する受電端子部１６を含む。
【００２０】
本実施例では、例えば、光源１１は、ＬＥＤ（Ｌｉｇｈｔ Ｅｍｉｔｔｉｎｇ Ｄｉｏｄｅ）チップで構成され、電圧制御部１４は、コイルで構成され、配線接続部１５は、２極コネクタで構成され、受電端子部１６は、６極コネクタで構成される。しかし、光源、電圧制御部、配線接続部、及び受電端子部の夫々は、それら以外の電子部品で構成されてもよい。
【００２１】
詳述しないが、第２基板には、２つの光源が互いに離間された状態で実装されると共に、配線接続部も実装される。例えば、第２基板に実装される各光源は、ＬＥＤチップ等で構成され、配線接続部は、２極コネクタ等で構成される。バッテリは、受電端子部１６、配線接続部１５、配線接続部１５と第２基板の配線接続部を電気的に接続する配線、及び第２基板の配線接続部を介して第２基板に実装される各光源に電力を供給する。
【００２２】
第１基板１０に実装される光源１１は、二輪車の前照灯のハイビーム用の光源として用いられることができ、第２基板に実装される２つの光源は、二輪車の前照灯のロービーム用の光源として用いられることができる。例えば、第１基板１０及び第２基板は、所定位置に配置された状態で、二輪車の高さ方向に垂直な水平方向に延在する。より詳しくは、第１基板１０は、光源１１が実装された第１面を上側にした状態で上記所定位置に配置され、第２基板は、２つの光源が実装された面を下側にした状態で上記所定位置に配置される。
【００２３】
光源１１から高さ方向上側に出射された光は、例えば、図示しないリフレクタ等でＹ方向一方側に反射されて二輪車の前方側かつ上側に出射される。また、第２基板の各光源から高さ方向下側に出射された光は、例えば、図示しないリフレクタ等でＹ方向一方側に反射されて二輪車の前方側かつ下側に出射される。本実施例では、Ｙ方向が二輪車の前後方向に一致する。なお、本実施例では、第１基板１０が、二輪車のハイビーム用の光源１１が実装された基板である場合について説明を行い、第１基板１０に１つのみの光源が実装されている場合について説明を行う。しかし、本願で開示される基板は、移動体の前照灯に組み込まれなくてもよく、本開示の第１基板に２以上の光源が実行されてもよい。また、本開示の発光装置は、１つのみの基板を備えてもよく、３以上の基板を備えてもよい。
【００２４】
図１に示すように、電力制御回路１２は、Ｙ方向に偏って配置され、直交方向の一例であるＹ方向の一方側端部に存在しない。また、光源１１は、電力制御回路１２に対してＹ方向に間隔をおいた状態で電力制御回路１２よりもＹ方向一方側に位置している。本実施例では、Ｙ方向一方側を、二輪車の前方側とすることができる。
【００２５】
図２は、第１基板１０の第１面側における光源１１周辺部分をＺ方向から見たときの部分拡大平面図であり、図１に領域Ｒで示す領域における部分拡大平面図である。図２に示すように、第１基板１０には、複数の略同一のビアホール１８が設けられる。複数のビアホール１８は、Ｚ方向に延在すると共に光源１１の周囲部３３に密集した状態で配置され、ビアホール１８は、第１基板１０における光源１１の周囲部３３の外側領域に存在しない。複数のビアホール１８は、電力制御回路１２に対してＹ方向に間隔をおいた状態で電力制御回路１２よりもＹ方向の一方側に配置される。本実施例では、ビアホール１８が、光源１１と電力制御回路１２とのＹ方向の間に存在しない。各ビアホール１８は、如何なる方法で第１基板１０に設けられてもよく、例えばドリルを用いて第１基板１０に設けられる。
【００２６】
図３は、Ｚ方向を含むと共に一つのビアホール１８を通過する切断面における第１基板１０周辺の拡大模式断面図である。図３に示すように、発光装置１は、接触均熱体５１、ホール内均熱体５２、及び付加均熱体５３を備える。接触均熱体５１は、第１面２０の少なくとも一部を被覆するように配置され、光源１１（図１参照）と接触する。ここで、この接触は、直接接触でもよいし、他の部位を介した間接的な接触でもよくて熱的な接触でもよい。また、間接的な接触の場合、他の部位は、例えば、放熱ジェル、金属材料、又は熱伝導率が高い樹脂材料で構成されてもよい。
【００２７】
上記放熱ジェルは、例えば、ベース材と、そのベース材に略均一に分散された金属又は金属酸化物の粒子（フィラー）を含んでもよい。ベース材は、絶縁性を確保し、微細な隙間を隙間なく埋めるために用いられる。他方、フィラーは、熱伝導性が高い粒子で構成され、伝熱性を向上させるために用いられる。ベース材は、例えば、常温からある程度の高温まで粘度変化が少ないシリコーン等のジェル（グリス）で構成される。また、フィラーは、銅、銀、アルミ、アルミナ、酸化マグネシウム、窒化アルミニウム、又は、それらの混合物等で構成され、それらの単体、又は混合物が、ベース材に、粒子径に見合った分散方法で分散される。また、熱伝導率が高い上記樹脂材料は、例えば、ポリアミド樹脂、ポリカーボネート樹脂、ポリプロピレンテレフタレート樹脂、又はポリフェニレンエーテル樹脂等でもよい。
【００２８】
また、ホール内均熱体５２は、各ビアホール１８の内周面を被覆するように配置され、接触均熱体５１と接触する。ここで、この接触は、直接接触でもよいし、他の部位を介した間接的な接触でもよくて熱的な接触でもよく、間接的な接触の場合、他の部位は、上記列挙した材料で構成されると好ましい。また、付加均熱体５３は、第２面３０の少なくとも一部を被覆するように配置され、ホール内均熱体５２と接触する。ここで、この接触は、直接接触でもよいし、他の部位を介した間接的な接触でもよく熱的な接触でもよく、間接的な接触の場合、他の部位は、上記記載の材料で構成されると好ましい。
【００２９】
接触均熱体５１、ホール内均熱体５２、及び付加均熱体５３の夫々は、熱伝導に優れる材質で構成される膜や箔で好適に構成され、金属箔、例えば、銀箔、銅箔、又はアルミ箔等で構成されると好ましい。第１基板１０における第１面２０は、接触均熱体５１の外側から絶縁材料からなる絶縁膜５５で被覆され、第２面３０は、付加均熱体５３の外側から絶縁材料からなる絶縁膜５６で被覆される。したがって、実際には、接触均熱体５１及び付加均熱体５３を視認できないが、理解を容易にするため、付加均熱体５３の存在領域を、図１に一点鎖線のハッチングで示す。
【００３０】
図１に示すように、付加均熱体５３は、電力制御回路１２の形成領域の外縁６０に対して僅かな隙間を介して対向する。また、付加均熱体５３は、Ｚ方向から見たとき、電力制御回路１２に重ならない領域の大部分に設けられる。図示しないが、接触均熱体５１は、Ｚ方向から見たとき、付加均熱体５３に重なる領域に設けられてもよく、平面視における接触均熱体５１の形成面積は、平面視における付加均熱体５３の形成面積の大きさと略同一の大きさを有してもよい。
【００３１】
なお、付加均熱体は、厚さ方向から見たとき、電力制御回路に重なる重なり領域に設けられてもよい。但し、この場合、付加均熱体を、導電性材料で構成すると、重なり領域において、電気的に接続されてはならない２以上のサブ領域においては、均熱体を２以上に分断して２以上のサブ均熱体を離散的に配置する必要がある。そして、各サブ均熱体が、他のサブ均熱体に電気的に接続しないようにする必要がある。また、接触均熱体は、基板の厚さ方向から見たとき付加均熱体に重ならない領域を含んでもよい。そして、平面視における接触均熱体の形成面積が、平面視における付加均熱体の形成面積の大きさと異なる大きさを有してもよい。
【００３２】
再度、図１を参照して、光源１１は、Ｙ方向とＺ方向を含むと共に第１基板１０のＸ方向が二等分される平面Ｐに交差する位置に存在する。また、電力制御回路１２は、平面Ｐに交差する位置に存在する電圧制御部１４を含む。また、配線接続部１５は、平面ＰにおけるＸ方向一方側に位置し、受電端子部１６は、平面ＰにおけるＸ方向の他方側に位置する。受電端子部１６の質量は、配線接続部１５の質量よりも大きい。受電端子部１６と平面Ｐとの距離ａは、配線接続部１５と平面Ｐとの距離ｂよりも短くなっている。
【００３３】
以上、発光装置１は、第１基板１０と、第１基板１０の第１面２０に実装される光源１１と、第１基板１０の第２面３０に実装される複数の電子部品を含み、バッテリから光源１１に供給される電力を制御する電力制御回路１２を備える。また、第１基板１０には、第１基板１０の厚さ方向（Ｚ方向）に延在すると共に光源１１の周囲部３３に密集した状態で配置される複数のビアホール１８が設けられる。また、発光装置１は、第１面２０の少なくとも一部を被覆するように配置されて光源１１と接触する接触均熱体５１と、各ビアホール１８の内周面を被覆するように配置されて接触均熱体５１と接触するホール内均熱体５２を備える。また、発光装置１は、第２面３０の少なくとも一部を被覆するように配置されてホール内均熱体５２と接触する付加均熱体５３を備える。
【００３４】
したがって、光源１１から接触均熱体５１に伝導した熱を、各ビアホール１８のホール内均熱体５２を介して付加均熱体５３に効率的に伝導させることができる。よって、光源１１で生じる熱を、発光装置１における光源１１側の表面から効率的に放熱できるだけでなく、発光装置１における光源１１側とは逆側の表面からも効率的に放熱でき、両面を用いたより広範囲で均一な放熱を実現できる。
【００３５】
更には、複数のビアホール１８を、光源１１の周囲のみに局在化して配置している。したがって、光源１１で発生する熱を複数のビアホール１８を用いて効率的に裏側に伝導でき、その結果、複数のビアホールを基板全体に大局的に設ける場合との比較で、ビアホール１８の数を低減できる。よって、光源１１で発生する熱を効率的に放熱できるだけでなく、発光装置１の製造コストも低減できる。
【００３６】
また、Ｚ方向に直交する直交方向であって、電力制御回路１２がその直交方向の一方側端部に存在しないような直交方向（Ｙ方向）が存在してもよい。また、複数のビアホール１８が、電力制御回路１２に対して直交方向に間隔をおいた状態で電力制御回路１２よりも直交方向の一方側に配置されてもよい。
【００３７】
上記構成によれば、光源１１で発生する熱のうちでホール内均熱体５２を介して裏側に伝導する熱が、電力制御回路１２に伝導することを抑制できる。よって、電力制御回路１２の熱劣化を抑制できる。なお、本構成は、採用されると好ましいが、採用されなくてもよい。詳しくは、Ｚ方向に直交する直交方向であって、電力制御回路がその直交方向の一方側端部に存在しないような直交方向が存在しなくてもよい。また、光源の周囲部に密集して配置される複数のビアホールは、基板の厚さ方向から見たとき、電力制御回路に重なる位置に配置される１以上のビアホールを含んでもよい。
【００３８】
また、第１基板１０は、長手方向（Ｘ方向）と幅方向（Ｙ方向）とを決定できる形状を有して、直交方向は、幅方向に一致してもよい。また、光源１１は、幅方向と厚さ方向（Ｚ方向）を含むと共に第１基板１０の長手方向が二等分される平面Ｐに交差する位置に存在してもよい。また、電力制御回路１２は、平面Ｐに交差する位置に存在する電圧制御部１４を含んでもよい。
【００３９】
発光装置１が、移動体、特に二輪車に設置される場合、発光装置１は、移動体の走行中に振動を受け易い。また、電圧制御部１４は、重量部品である。このような背景において、本構成によれば、重量部品である電圧制御部１４が、第１基板１０の中央部に配置されているので、発光装置１の重心を第１基板１０の中央部に位置させ易い。したがって、第１基板１０が振動を受けた際の第１基板１０の挙動を小さくできて安定させることができ、振動に対する発光装置１の耐久性を良好なものにし易い。更には、光源１１が、上記平面Ｐに交差する位置に存在して第１基板１０の中央部に実装されているので、所望の配光も実現し易い。なお、本構成は、採用されると好ましいが、採用されなくてもよい。詳しくは、光源及び電圧制御部の少なくとも一方は、上記平面Ｐに交差する位置に存在しなくてもよく、更に述べると、基板は、上述の平面Ｐが存在しない形状でもよい。
【００４０】
また、電力制御回路１２は、他の基板に配線を接続するのに用いられる配線接続部１５と、電源（バッテリ）からの電力を受電する受電端子部１６を含んでもよい。また、配線接続部１５は、平面Ｐにおける長手方向（Ｘ方向）の一方側に位置し、受電端子部１６は、平面Ｐにおける長手方向の他方側に位置してもよい。
【００４１】
配線接続部１５、及び受電端子部１６は、重量部品である。上記構成によれば、配線接続部１５、及び受電端子部１６が、平面Ｐを境として互いに逆側の領域に位置する。したがって、配線接続部１５、及び受電端子部１６の重心を、第１基板１０の中央部に近づけ易く、振動に対する発光装置１の耐久性を更に良好なものにし易い。なお、本構成は、採用されると好ましいが、採用されなくてもよい。詳しくは、配線接続部、及び受電端子部は、上記平面Ｐを境とした場合に、同じ側の領域に位置してもよい。
【００４２】
また、受電端子部１６と平面Ｐとの距離ａが、配線接続部１５と平面Ｐとの距離ｂよりも短くてもよい。
【００４３】
受電端子部１６は、配線接続部１５よりも重いことが多い。上記構成によれば、配線接続部１５、及び受電端子部１６の重心を、第１基板１０の中央部に更に近づけ易い。よって、振動に対する発光装置１の耐久性を更に良好なものにできる。なお、本構成は、採用されると好ましいが、採用されなくてもよい。詳しくは、受電端子部と上記平面Ｐとの距離は、配線接続部と上記平面Ｐとの距離と一致してもよく、又は配線接続部と上記平面Ｐとの距離よりも長くてもよい。更には、発光装置が、１つの基板のみを有する場合、配線接続部は存在しなくてもよい。
【００４４】
なお、本開示は、上記実施形態およびその変形例に限定されるものではなく、本願の特許請求の範囲に記載された事項およびその均等な範囲において種々の改良や変更が可能である。
【００４５】
例えば、第１基板１０が、長手方向（Ｘ方向）と幅方向（Ｙ方向）とを決定できる形状を有し、直交方向が、幅方向（Ｙ方向）に一致する場合について説明した。しかし、基板が、長手方向と幅方向とを決定できる形状を有し、直交方向が、長手方向に一致してもよい。又は、基板は、長手方向と幅方向とを決定できない形状でもよく、基板は、平面視で正方形の形状や円形状を有してもよい。
【００４６】
また、第１基板１０が長手方向（Ｘ方向）と幅方向（Ｙ方向）とを決定できる形状を有する場合に、第１基板１０が所定位置に設置されている状態で、幅方向が、移動体の前後方向（進行方向）に一致する場合について説明した。しかし、基板が長手方向と幅方向とを決定できる形状を有する場合に、基板が所定位置に設置されている状態で、幅方向が、移動体の高さ方向に延在してもよく、移動体の幅方向に延在してもよい。
【００４７】
また、複数のビアホール１８が、光源１１の周囲を全周に亘って取り囲まないように配置される場合について説明したが、複数のビアホールは、光源の周囲を全周に亘って取り囲むように配置されてもよい。
【００４８】
また、発光装置１が、二輪車に搭載される場合について説明した。しかし、発光装置は、二輪車以外の移動体に搭載されてもよく、二輪車以外の車両、例えば、軽自動車、普通車、又はトラック等に搭載されてもよい。又は、発光装置は、車両以外の移動体に搭載されてもよく、例えば、航空機、船舶、又はホバークラフト等に搭載されてもよい。又は、発光装置は、移動体に搭載されなくてもよく、例えば、家庭用の照明装置等に搭載されてもよく、この場合、電源は、バッテリでなくて、家庭用の商用交流電源を直流電源に変換する電源装置等でもよい。
【００４９】
また、基板に複数の光源が実装される場合、複数のビアホールは、少なくとも１つの光源の周囲部に密集された状態で配置されればよい。また、１の光源の周囲部に配置されるビアホールの数は、１０以上でもよく、１５以上でもよく、２０以上でもよい。
【００５０】
また、光源１１が、ＬＥＤチップで構成される場合について説明したが、光源は、半導体レーザ素子のチップ等で構成されてもよく、ＬＥＤチップ以外の半導体発光素子のチップで構成されてもよい。又は、光源は、有機ＥＬ（Ｅｌｅｃｔｒｏ Ｌｕｍｉｎｅｓｃｅｎｃｅ）素子もしくは無機ＥＬ素子等の固体発光素子のチップで構成されてもよい。また、光源は、例えば、ＳＭＤ（Ｓｕｒｆａｃｅ Ｍｏｕｎｔ Ｄｅｖｉｃｅ）構造のＬＥＤモジュールに含まれてもよく、基板にＬＥＤチップが直接実装されたＣＯＢ（Ｃｈｉｐ Ｏｎ Ｂｏａｒｄ）構造のＬＥＤモジュールに含まれてもよい。
【００５１】
また、光源を基板の厚さ方向から見たときの光源の平面視における平面図形において、その平面図形に含まれる最も長い直線を決定したとする。そのとき、１の光源の周囲部に配置される複数のビアホールの全ては、その直線の中心を中心とし、その直線の長さの５倍の長さの直径を有する円に囲まれた領域に基板の厚さ方向に重なる領域に存在すればよい。しかし、１の光源の周囲部に配置されて基板の厚さ方向に延在する複数のビアホールの全ては、その直線の４倍の長さの直径を有する円の内部にあってもよく、その直線の長さの３倍の長さの直径を有する円の内部にあってもよい。
【００５２】
また、複数のビアホールの内で開口面積が最も大きい最大ビアホールに関して、その最大ビアホールを基板の厚さ方向から見たときの最大ビアホールの平面視における平面図形において、その平面図形に含まれる最も長い直線を決定したとする。そのとき、１の光源の周囲部に配置される複数のビアホールに関し、隣り合う２つのビアホールの全ての組において、一方のビアホールの縁と他方のビアホールの縁との最短距離が、上記最大ビアホールの上記直線の３倍の長さよりも短くなっていればよい。しかし、上記隣り合う２つのビアホールの全ての組において、上記一方のビアホールの縁と上記他方のビアホールの縁との最短距離は、上記最大ビアホールの上記直線の２.５倍の長さよりも短くなっていてもよく、上記最大ビアホールの上記直線の２倍の長さよりも短くなっていてもよい。
【符号の説明】
【００５３】
１  発光装置、  １０  第１基板、  １１  光源、  １２  電力制御回路、  １３  電子部品、  １４  電圧制御部、  １５  配線接続部、  １６  受電端子部、  １８  ビアホール、  ２０  第１面、  ３０  第２面、  ３３  光源の周囲部、  ５１  接触均熱体、  ５２  ホール内均熱体、  ５３  付加均熱体、  ａ  受電端子部と平面との距離、  ｂ  配線接続部と平面との距離、  Ｐ  幅方向と厚さ方向を含むと共に長手方向が二等分される平面、  Ｘ方向  基板の長手方向、  Ｙ方向  基板の幅方向（直交方向）  Ｚ方向  基板の厚さ方向。
【図１】
2020047745.tif 000003
【図２】
2020047745.tif 000004
【図３】
2020047745.tif 000005
【図４】
2020047745.tif 000006
【図５】
2020047745.tif 000007